(57)【要約】【課題】無駄に無線機能を起動させず、消費電力を低減させることができる。【解決手段】メモリ１０４は、書込済データのデータフォーマットを特定するフォーマット特定データを記録する。制御部１０５は、ＮＦＣ通信モジュール１０３を用いて読み出された書込済データが所定のフォーマットであるか否かをフォーマット特定データに基づいて検出するとともに、書込済データが撮像装置のＷＬＡＮ通信モジュールで使用する無線ＬＡＮデータであるか否かを検出し、所定のフォーマットであると検出された当該書込済データが無線ＬＡＮ設定データであると検出された場合、ＮＦＣ通信モジュール１０３を用いてＮＦＣタグモジュールに、撮像装置のＷＬＡＮ通信モジュールのアクセスポイント機能を起動することを指示するコマンドデータを書き込む。【選択図】図１
2015220611.tif 000002
【特許請求の範囲】
【請求項１】
無線ＬＡＮで無線通信を行う無線ＬＡＮ通信モジュールと、ＩＣタグに書き込まれている書込済データを読み出す近距離無線通信モジュールと、を有する携帯端末であって、
前記書込済データのデータフォーマットを特定するフォーマット特定データを記録するメモリと、
前記近距離無線通信モジュールを用いて読み出された書込済データが所定のフォーマットであるか否かを前記フォーマット特定データに基づいて検出するとともに、前記書込済データが撮像装置側無線ＬＡＮ通信モジュールで使用する無線ＬＡＮ設定データであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御部と、
を有することを特徴とする携帯端末。
【請求項２】
前記制御部は、前記近距離無線通信モジュールを使用して前記ＩＣタグの存在を検出するとともに、前記コマンドデータの前記ＩＣタグへの書き込みは、前記書込済データを読み出した後、前記存在が検出されたＩＣタグとの近距離無線通信が不可能になるまでの間に行う
ことを特徴とする請求項１に記載の携帯端末。
【請求項３】
前記制御部は、前記無線ＬＡＮ設定データを用いた前記無線ＬＡＮ通信モジュールによる無線通信の接続処理を、前記コマンドデータの前記ＩＣタグへの書き込みが成功したときにのみ行う
ことを特徴とする請求項１に記載の携帯端末。
【請求項４】
前記メモリは、比較用データを記録し、
前記制御部は、前記無線ＬＡＮ設定データが撮像装置のものであるか否かを前記比較用データに基づいて特定し、前記無線ＬＡＮ設定データが前記撮像装置のものであると特定された場合、前記ＩＣタグに、前記撮像装置にリモート撮像機能を開始させるコマンドデータを書き込む、又は、前記撮像装置が保有している画像データを共有させるコマンドデータを書き込む
ことを特徴とする請求項１に記載の携帯端末。
【請求項５】
撮像モジュールと、無線ＬＡＮで無線通信を行う無線ＬＡＮ通信モジュールと、ＩＣタグ接続端子と、を有する撮像装置であって、
前記ＩＣタグ接続端子に有線接続されているＩＣタグに、コマンドデータが新たに書き込まれたことを検出する検出部と、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する制御部と、
を有することを特徴とする撮像装置。
【請求項６】
前記制御部は、前記コマンドデータに誤りがない場合、当該読み出されたコマンドデータに応じた処理を実行し、前記ＩＣタグに書き込まれているコマンドデータを削除する、又は、前記コマンドデータに応じた処理が前記撮像装置で実行されたか否かを判別することができるデータを前記ＩＣタグに書き込む
ことを特徴とする請求項５に記載の撮像装置。
【請求項７】
前記制御部は、前記ＩＣタグ接続端末に接続されているＩＣタグに、前記無線ＬＡＮ通信モジュールで使用する無線ＬＡＮ設定データを書き込むとともに、当該無線ＬＡＮ設定データを書き込んだ後にのみ、当該読み出されたコマンドデータに誤りがある場合、前記撮像モジュールを利用不可な状態に設定する
ことを特徴とする請求項５に記載の撮像装置。
【請求項８】
無線ＬＡＮで無線通信を行う携帯端末側無線ＬＡＮ通信モジュールと、ＩＣタグに書き込まれている書込済データを読み出す近距離無線通信モジュールとを有する携帯端末と、撮像モジュールと、無線ＬＡＮで無線通信を行う撮像装置側無線ＬＡＮ通信モジュールと、ＩＣタグ接続端子と、を有する撮像装置とを含む通信システムであって、
前記携帯端末は、
前記書込済データのデータフォーマットを特定するフォーマット特定データを記録するメモリと、
前記近距離無線通信モジュールを用いて読み出された書込済データが所定のフォーマットであるか否かを前記フォーマット特定データに基づいて検出するとともに、前記書込済データが前記撮像装置側無線ＬＡＮ通信モジュールで使用する無線ＬＡＮデータであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御部と、
を有し、
前記撮像装置は、
前記ＩＣタグ接続端子に有線接続されているＩＣタグに、コマンドデータが新たに書き込まれたことを検出する検出部と、
前記ＩＣタグにコマンドデータが新たに書き込まれたことが検出された場合、当該書き込まれたコマンドデータを読み出し、当該読み出されたコマンドデータに応じた処理を実行する制御部と、
を有する
ことを特徴とする通信システム。
【請求項９】
無線ＬＡＮで無線通信を行う無線ＬＡＮ通信モジュールと、ＩＣタグに書き込まれている書込済データを読み出す近距離無線通信モジュールと、を有する携帯端末の通信方法であって、
メモリが記録する前記書込済データのデータフォーマットを特定するフォーマット特定データに基づいて、前記近距離無線通信モジュールを用いて読み出された書込済データが所定のフォーマットであるか否かを検出するとともに、前記書込済データが撮像装置側無線ＬＡＮ通信モジュールで使用する無線ＬＡＮデータであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御ステップ
を含むことを特徴とする携帯端末の通信方法。
【請求項１０】
撮像モジュールと、無線ＬＡＮで無線通信を行う無線ＬＡＮ通信モジュールと、ＩＣタグ接続端子と、を有する撮像装置の通信方法であって、
前記ＩＣタグ接続端子に有線接続されているＩＣタグに、コマンドデータが新たに書き込まれたことを検出する検出ステップと、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する設定ステップと、
を含むことを特徴とする撮像装置の通信方法。
【請求項１１】
無線ＬＡＮで無線通信を行う無線ＬＡＮ通信モジュールと、ＩＣタグに書き込まれている書込済データを読み出す近距離無線通信モジュールと、を有する携帯端末に、
メモリが記録する前記書込済データのデータフォーマットを特定するフォーマット特定データに基づいて、前記近距離無線通信モジュールを用いて読み出された書込済データが所定のフォーマットであるか否かを検出するとともに、前記書込済データが撮像装置側無線ＬＡＮ通信モジュールで使用する無線ＬＡＮデータであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御ステップ
を実行させるためのプログラム。
【請求項１２】
撮像モジュールと、無線ＬＡＮで無線通信を行う無線ＬＡＮ通信モジュールと、ＩＣタグ接続端子と、を有する撮像装置に、
前記ＩＣタグ接続端子に有線接続されているＩＣタグに、コマンドデータが新たに書き込まれたことを検出する検出ステップと、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する設定ステップと、
を実行させるためのプログラム。
【発明の詳細な説明】
【技術分野】
【０００１】
本発明は、携帯端末、撮像装置、通信システム、携帯端末の通信方法、撮像装置の通信方法およびプログラムに関する。
【背景技術】
【０００２】
ＮＦＣ（Ｎｅａｒ  ｆｉｅｌｄ  ｃｏｍｍｕｎｉｃａｔｉｏｎ）タグを検出した場合、検出した信号に基づいたモードで起動する撮像装置が知られている（例えば、特許文献１参照）。
【０００３】
また、外部端末（例えは、携帯端末）からＮＦＣタグにアクセスがある場合、無線機能（ＷＬＡＮ）の起動を行うアクセスポイントを有する撮像装置が知られている。
【先行技術文献】
【特許文献】
【０００４】
【特許文献１】特開２００６−２５３８８７号公報
【発明の概要】
【発明が解決しようとする課題】
【０００５】
しかしながら、従来知られている撮像装置は、外部端末がＮＦＣタグを正常に読み取ることができたか否かに関わらず、無線機能を起動してしまう。また、無駄に無線機能を起動すると、消費電力が高くなる。
【０００６】
本発明は、上記の課題を解決するためになされたものであり、無駄に無線機能を起動させず、消費電力を低減させることができる携帯端末、撮像装置、通信システム、携帯端末の通信方法、撮像装置の通信方法およびプログラムを提供することを目的とする。
【課題を解決するための手段】
【０００７】
本発明の一態様によれば、無線ＬＡＮで無線通信を行う無線ＬＡＮ通信モジュールと、ＩＣタグに書き込まれている書込済データを読み出す近距離無線通信モジュールと、を有する携帯端末であって、前記書込済データのデータフォーマットを特定するフォーマット特定データを記録するメモリと、前記近距離無線通信モジュールを用いて読み出された書込済データが所定のフォーマットであるか否かを前記フォーマット特定データに基づいて検出するとともに、前記書込済データが撮像装置側無線ＬＡＮ通信モジュールで使用する無線ＬＡＮ設定データであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御部と、を有することを特徴とする携帯端末である。
【０００８】
また、本発明の他の態様の携帯端末において、前記制御部は、前記近距離無線通信モジュールを使用して前記ＩＣタグの存在を検出するとともに、前記コマンドデータの前記ＩＣタグへの書き込みは、前記書込済データを読み出した後、前記存在が検出されたＩＣタグとの近距離無線通信が不可能になるまでの間に行うことを特徴とする。
【０００９】
また、本発明の携帯端末において、前記制御部は、前記無線ＬＡＮ設定データを用いた前記無線ＬＡＮ通信モジュールによる無線通信の接続処理を、前記コマンドデータの前記ＩＣタグへの書き込みが成功したときにのみ行うことを特徴とする。
【００１０】
また、本発明の他の態様の携帯端末において、前記メモリは、比較用データを記録し、前記制御部は、前記無線ＬＡＮ設定データが撮像装置のものであるか否かを前記比較用データに基づいて特定し、前記無線ＬＡＮ設定データが前記撮像装置のものであると特定された場合、前記ＩＣタグに、前記撮像装置にリモート撮像機能を開始させるコマンドデータを書き込む、又は、前記撮像装置が保有している画像データを共有させるコマンドデータを書き込むことを特徴とする。
【００１１】
また、本発明の他の態様は、撮像モジュールと、無線ＬＡＮで無線通信を行う無線ＬＡＮ通信モジュールと、ＩＣタグ接続端子と、を有する撮像装置であって、前記ＩＣタグ接続端子に有線接続されているＩＣタグに、コマンドデータが新たに書き込まれたことを検出する検出部と、前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する制御部と、を有することを特徴とする撮像装置である。
【００１２】
また、本発明の他の態様の撮像装置において、前記制御部は、前記コマンドデータに誤りがない場合、当該読み出されたコマンドデータに応じた処理を実行し、前記ＩＣタグに書き込まれているコマンドデータを削除する、又は、前記コマンドデータに応じた処理が前記撮像装置で実行されたか否かを判別することができるデータを前記ＩＣタグに書き込むことを特徴とする。
【００１３】
また、本発明の他の態様の撮像装置において、前記制御部は、前記ＩＣタグ接続端末に接続されているＩＣタグに、前記無線ＬＡＮ通信モジュールで使用する無線ＬＡＮ設定データを書き込むとともに、当該無線ＬＡＮ設定データを書き込んだ後にのみ、当該読み出されたコマンドデータに誤りがある場合、前記撮像モジュールを利用不可な状態に設定することを特徴とする。
【００１４】
また、本発明の他の態様は、無線ＬＡＮで無線通信を行う携帯端末側無線ＬＡＮ通信モジュールと、ＩＣタグに書き込まれている書込済データを読み出す近距離無線通信モジュールとを有する携帯端末と、撮像モジュールと、無線ＬＡＮで無線通信を行う撮像装置側無線ＬＡＮ通信モジュールと、ＩＣタグ接続端子と、を有する撮像装置とを含む通信システムであって、前記携帯端末は、前記書込済データのデータフォーマットを特定するフォーマット特定データを記録するメモリと、前記近距離無線通信モジュールを用いて読み出された書込済データが所定のフォーマットであるか否かを前記フォーマット特定データに基づいて検出するとともに、前記書込済データが前記撮像装置側無線ＬＡＮ通信モジュールで使用する無線ＬＡＮデータであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御部と、を有し、前記撮像装置は、前記ＩＣタグ接続端子に有線接続されているＩＣタグに、コマンドデータが新たに書き込まれたことを検出する検出部と、前記ＩＣタグにコマンドデータが新たに書き込まれたことが検出された場合、当該書き込まれたコマンドデータを読み出し、当該読み出されたコマンドデータに応じた処理を実行する制御部と、を有することを特徴とする通信システムである。
【００１５】
また、本発明の他の態様は、無線ＬＡＮで無線通信を行う無線ＬＡＮ通信モジュールと、ＩＣタグに書き込まれている書込済データを読み出す近距離無線通信モジュールと、を有する携帯端末の通信方法であって、メモリが記録する前記書込済データのデータフォーマットを特定するフォーマット特定データに基づいて、前記近距離無線通信モジュールを用いて読み出された書込済データが所定のフォーマットであるか否かを検出するとともに、前記書込済データが撮像装置側無線ＬＡＮ通信モジュールで使用する無線ＬＡＮデータであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御ステップを含むことを特徴とする携帯端末の通信方法である。
【００１６】
また、本発明の他の態様は、撮像モジュールと、無線ＬＡＮで無線通信を行う無線ＬＡＮ通信モジュールと、ＩＣタグ接続端子と、を有する撮像装置の通信方法であって、前記ＩＣタグ接続端子に有線接続されているＩＣタグに、コマンドデータが新たに書き込まれたことを検出する検出ステップと、前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する設定ステップと、を含むことを特徴とする撮像装置の通信方法である。
【００１７】
また、本発明の他の態様は、無線ＬＡＮで無線通信を行う無線ＬＡＮ通信モジュールと、ＩＣタグに書き込まれている書込済データを読み出す近距離無線通信モジュールと、を有する携帯端末に、メモリが記録する前記書込済データのデータフォーマットを特定するフォーマット特定データに基づいて、前記近距離無線通信モジュールを用いて読み出された書込済データが所定のフォーマットであるか否かを検出するとともに、前記書込済データが撮像装置側無線ＬＡＮ通信モジュールで使用する無線ＬＡＮデータであるか否かを検出し、所定のフォーマットであると検出された当該書込済データが前記無線ＬＡＮ設定データであると検出された場合、前記近距離無線通信モジュールを用いて前記ＩＣタグに、前記撮像装置側無線ＬＡＮ通信モジュールのアクセスポイント機能を起動することを指示するコマンドデータを書き込む制御ステップを実行させるためのプログラムである。
【００１８】
また、本発明の他の態様は、撮像モジュールと、無線ＬＡＮで無線通信を行う無線ＬＡＮ通信モジュールと、ＩＣタグ接続端子と、を有する撮像装置に、前記ＩＣタグ接続端子に有線接続されているＩＣタグに、コマンドデータが新たに書き込まれたことを検出する検出ステップと、前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する設定ステップと、を実行させるためのプログラムである。
【発明の効果】
【００１９】
本発明の一態様によれば、携帯端末は、無線ＬＡＮで無線通信を行う無線ＬＡＮ通信モジュールと、ＩＣタグに書き込まれている書込済データを読み出す近距離無線通信モジュールとを有する。メモリは、書込済データのデータフォーマットを特定するフォーマット特定データを記録する。また、制御部は、近距離無線通信モジュールを用いて読み出された書込済データが所定のフォーマットであるか否かをフォーマット特定データに基づいて検出するとともに、書込済データが撮像装置の無線ＬＡＮ通信モジュールで使用する無線ＬＡＮデータであるか否かを検出し、所定のフォーマットであると検出された当該書込済データが無線ＬＡＮ設定データであると検出された場合、近距離無線通信モジュールを用いてＩＣタグに、撮像装置の無線ＬＡＮ通信モジュールのアクセスポイント機能を起動することを指示するコマンドデータを書き込む。
【００２０】
この構成により、近距離無線通信モジュールを用いて読み出された書込済データが所定のフォーマットであるか否かをフォーマット特定データに基づいて検出するとともに、書込済データが撮像装置の無線ＬＡＮ通信モジュールで使用する無線ＬＡＮデータであるか否かを検出し、所定のフォーマットであると検出された当該書込済データが無線ＬＡＮ設定データであると検出された場合、近距離無線通信モジュールを用いてＩＣタグに、撮像装置の無線ＬＡＮ通信モジュールのアクセスポイント機能を起動することを指示するコマンドデータを書き込む。よって、例えば、撮像装置は、撮像装置の無線ＬＡＮモジュールのアクセスポイント機能を起動することを指示するコマンドデータが書き込まれたときのみ、撮像装置の無線ＬＡＮモジュールのアクセスポイント機能を起動することができる。従って、無駄に無線機能を起動させず、消費電力を低減させることができる。
【図面の簡単な説明】
【００２１】
【図１】本発明の一実施形態における携帯端末の構成を示したブロック図である。
【図２】本実施形態における撮像装置とＮＦＣタグモジュールの構成を示したブロック図である。
【図３】本実施形態におけるＮＦＣタグモジュールの第二メモリのメモリマップを示した概略図である。
【図４】本実施形態における携帯端末の動作手順を示したフローチャートである。
【図５】本実施形態において、撮像装置の電源がオンの状態時の撮像装置の動作手順を示したフローチャートである。
【図６】本実施形態において、撮像装置の電源がオフの状態時の撮像装置の動作手順を示したフローチャートである。
【図７】本実施形態において、制御部が撮像装置指示コマンドを実行する手順を示したフローチャートである。
【図８】本実施形態において、撮像装置の電源がオンの状態であり、撮像装置指示コマンドが「無線ＬＡＮアクセスポイント起動コマンド」である場合の携帯端末と、撮像装置と、ＮＦＣタグモジュールとの動作を示したシーケンス図である。
【図９】本実施形態において、撮像装置の電源がオンの状態であり、撮像装置指示コマンドが「撮影パラメータ変更コマンド」等、無線ＬＡＮのアクセスポイントの起動指示を含んでいない場合の携帯端末と、撮像装置と、ＮＦＣタグモジュールとの動作を示したシーケンス図である。
【図１０】本実施形態において、撮像装置の電源がオンの状態であり、撮像装置指示コマンドの書き込みがない場合の携帯端末と、撮像装置と、ＮＦＣタグモジュールとの動作を示したシーケンス図である。
【図１１】本実施形態において、撮像装置の電源がオンの状態であり、撮像装置指示コマンドが認識不可能なコマンドである場合の携帯端末と、撮像装置と、ＮＦＣタグモジュールとの動作を示したシーケンス図である。
【図１２】本実施形態において、撮像装置の電源がオンの状態であり、撮像装置指示コマンド「無線ＬＡＮアクセスポイント起動コマンド」の書き込みを失敗した場合の携帯端末と、撮像装置と、ＮＦＣタグモジュールとの動作を示したシーケンス図である。
【図１３】本実施形態において、撮像装置の電源がオンの状態であり、撮像装置およびＮＦＣタグモジュールから読み出したデータを携帯端末で認識することができない場合の携帯端末と、撮像装置と、ＮＦＣタグモジュールとの動作を示したシーケンス図である。
【図１４】本実施形態において、撮像装置の電源がオフの状態であり、撮像装置指示コマンドが「無線ＬＡＮアクセスポイント起動コマンド」である場合の携帯端末と、撮像装置と、ＮＦＣタグモジュールとの動作を示したシーケンス図である。
【図１５】本実施形態において、撮像装置の電源がオフの状態であり、撮像装置指示コマンドが「撮影パラメータ変更コマンド」等、無線ＬＡＮのアクセスポイントの起動指示を含んでいない場合の携帯端末と、撮像装置と、ＮＦＣタグモジュールとの動作を示したシーケンス図である。
【図１６】本実施形態において、撮像装置の電源がオフの状態であり、撮像装置指示コマンドの書き込みがない場合の携帯端末と、撮像装置と、ＮＦＣタグモジュールとの動作を示したシーケンス図である。
【図１７】本実施形態において、撮像装置の電源がオフの状態であり、撮像装置指示コマンドが認識不可能なコマンドである場合の携帯端末と、撮像装置と、ＮＦＣタグモジュールとの動作を示したシーケンス図である。
【図１８】本実施形態において、撮像装置の電源がオフの状態であり、撮像装置指示コマンド「無線ＬＡＮアクセスポイント起動コマンド」の書き込みを失敗した場合の携帯端末と、撮像装置と、ＮＦＣタグモジュールとの動作を示したシーケンス図である。
【図１９】本実施形態において、撮像装置の電源がオフの状態であり、撮像装置およびＮＦＣタグモジュールから読み出したデータを携帯端末で認識することができない場合の携帯端末と、撮像装置と、ＮＦＣタグモジュールとの動作を示したシーケンス図である。
【発明を実施するための形態】
【００２２】
以下、図面を参照し、本発明の一実施形態について説明する。初めに、携帯端末の構成について説明する。図１は本実施形態における携帯端末の構成を示したブロック図である。携帯端末１０１は、ＷＬＡＮ通信モジュール１０２（無線ＬＡＮ通信モジュール、携帯端末側無線ＬＡＮ通信モジュール）と、ＮＦＣ通信モジュール１０３（近距離無線通信モジュール）と、メモリ１０４と、制御部１０５とを備えている。
【００２３】
ＷＬＡＮ通信モジュール１０２は、ＩＥＥＥ８０２．１１ａ／ｂ／ｇ／ｎ等の通信規格に基づいてデータ通信を行う通信モジュールである。また、ＷＬＡＮ通信モジュール１０２は、無線ＬＡＮのステーションとして動作する。ＮＦＣ通信モジュール１０３は、近接無線通信であるＮＦＣ通信規格に基づいて、ＮＦＣタグに対してデータの読み出しまたは書き込みを行う通信モジュールである。また、ＮＦＣ通信モジュール１０３は、携帯端末１０１をＮＦＣリーダライタとして動作させる。
【００２４】
メモリ１０４は、ＲＡＭや、フラッシュメモリや、外部記憶媒体であるメモリカード等の記憶媒体を含み、各々の使用用途に応じて種々データが読み書きされる。例えば、メモリ１０４は、ＮＦＣ通信モジュール１０３を介して読み出されたデータが特定のフォーマットであるか判定するためのフォーマット特定データ（比較用データ）を記憶する。また、例えば、メモリ１０４は、携帯端末１０１が備える各部の動作を統括的に制御する制御プログラムを記憶する。また、例えば、メモリ１０４は、ＷＬＡＮ通信モジュール１０２やＮＦＣ通信モジュール１０３によって授受されるデータ等を記憶する。
【００２５】
制御部１０５は、携帯端末１０１が備える各部の動作を統括的に制御する。例えば、制御部１０５は、ＮＦＣ通信モジュールを介して読み出されたデータが特定のフォーマットであるか判定し、判定結果に基づいて撮像装置への指示コマンドを決定する。また、例えば、制御部１０５は、決定した指示コマンドを、ＮＦＣ通信モジュール１０３を介してＮＦＣタグに書き込む。なお、制御部１０５が動作を制御する各部としては、図示されていない表示部や操作部等も含まれる。
【００２６】
次に、撮像装置２０１とＮＦＣタグモジュール３０１の構成について説明する。図２は、本実施形態における撮像装置２０１とＮＦＣタグモジュール３０１の構成を示したブロック図である。撮像装置２０１は、撮像モジュール２０２と、ＷＬＡＮ通信モジュール２０３（無線ＬＡＮ通信モジュール、撮像装置側無線ＬＡＮ通信モジュール）と、第一メモリ２０４と、第一通信インタフェース２０５（ＩＣＣタグ接続端子）と、制御部２０６とを備えている。ＮＦＣタグモジュール３０１（ＩＣタグ）は、第二通信インタフェース３０２と、第二メモリ３０３とを備えている。撮像装置２０１の第一通信インタフェース２０５と、ＮＦＣタグモジュール３０１の第二通信インタフェース３０２とは有線にて接続されており、互いにデータの送受信を行うことができる。なお、ＮＦＣタグモジュール３０１を撮像装置２０１に内蔵するようにしてもよい。
【００２７】
撮像モジュール２０２は、被写体を撮影して撮像信号を生成するとともに、種々の画像処理を行って画像データを作成する。撮像モジュール２０２が生成した画像データは、図示していないメモリカード等に記録される。ＷＬＡＮ通信モジュール２０３は、ＩＥＥＥ８０２．１１ａ／ｂ／ｇ／ｎ等の通信規格に基づいてデータ通信を行う通信モジュールである。また、ＷＬＡＮ通信モジュール２０３は、無線ＬＡＮのアクセスポイントとして動作する。
【００２８】
第一メモリ２０４は、ＲＡＭや、フラッシュメモリや、外部記憶媒体であるメモリカード等の記憶媒体を含み、各々の使用用途に応じて種々データが読み書きされる。例えば、第一メモリ２０４は、ＮＦＣ通信モジュール１０３によって第二メモリ３０３に書き込まれたデータが特定のフォーマットであるか判定するためのフォーマット特定データを記憶する。また、例えば、第一メモリ２０４は、撮像装置２０１が備える各部の動作を統括的に制御する制御プログラムを記憶する。また、例えば、第一メモリ２０４は、ＷＬＡＮ通信モジュール２０３によって授受されるデータ等を記憶する。また、例えば、第一メモリ２０４は、ＮＦＣ通信モジュール１０３によって第二メモリ３０３に書き込まれたデータ等を記憶する。
【００２９】
第一通信インタフェース２０５は、第二通信インタフェース３０２とデータの送受信を行うインタフェースである。制御部２０６は、撮像装置２０１が備える各部の動作を統括的に制御する。例えば、制御部２０６は、ＮＦＣ通信モジュール１０３によってＮＦＣタグモジュール３０１の第二メモリ３０３に書き込まれたデータが特定のフォーマットであるか判定し、判定結果に基づいて撮像装置の各種動作を制御する。なお、制御部２０６が動作を制御する各部としては、図示されていない表示部や操作部等も含まれる。
【００３０】
ＮＦＣタグモジュール３０１は、携帯端末１０１が備えるＮＦＣ通信モジュール１０３から、データの読み出し／書き込みが行われるモジュールである。第二通信インタフェース３０２は、第一通信インタフェース２０５とデータの送受信を行うインタフェースである。第二メモリ３０３は、読み出しおよび書き込みが可能なメモリである。
【００３１】
携帯端末１０１のＮＦＣ通信モジュール１０３は、ＮＦＣ通信モジュール１０３が発生させるＲＦ磁界による電力供給だけで、ＮＦＣタグモジュール３０１が備える第二メモリ３０３の読み出しおよび書き込みが可能である。また、撮像装置２０１の制御部２０６は、第一通信インタフェース２０５と第二通信インタフェース３０２とを介して、ＮＦＣタグモジュール３０１が備える第二メモリ３０３の読み出しおよび書き込みが可能である。
【００３２】
第一通信インタフェース２０５および第二通信インタフェース３０２は、ＮＦＣ通信モジュール１０３が発するＲＦ磁界やＮＦＣデータ通信（第二メモリ３０３の読み出し、または、書き込み）をトリガーとする起動信号を出力する機能を有する（検出部）。制御部２０６はＣＰＵを含んでおり、ＣＰＵは撮像装置２０１の電源がオフのときでも極小の電力で動作している。この状態をスリープ状態とする。制御部２０６のＣＰＵは、スリープ状態のときに、第一通信インタフェース２０５および第二通信インタフェース３０２が出力する起動信号を検出した場合、スリープ状態を解除し、撮像装置２０１が備える各部の電源をオンする。
【００３３】
また、第一通信インタフェース２０５および第二通信インタフェース３０２は、携帯端末１０１のＮＦＣ通信モジュール１０３による第二メモリ３０３の書き込みが正常に完了した場合、ＮＦＣタグ書き込み完了信号を出力する機能を有する。
【００３４】
次に、ＮＦＣタグモジュール３０１の第二メモリ３０３に書き込まれるデータについて説明する。図３は、本実施形態におけるＮＦＣタグモジュール３０１の第二メモリ３０３のメモリマップを示した概略図である。図示する例では、第二メモリ３０３には、無線ＬＡＮ設定情報と、撮像装置指示コマンドとが書き込まれる。例えば、無線ＬＡＮ設定情報は、撮像装置２０１の第一通信インタフェース２０５と、ＮＦＣタグモジュール３０１の第二通信インタフェース３０２とを介して、制御部２０６により書き込まれる。また、例えば、撮像装置指示コマンドは、携帯端末１０１のＮＦＣ通信モジュール１０３により、ＮＦＣタグモジュール３０１の第二メモリ３０３に書き込まれる。
【００３５】
無線ＬＡＮ設定情報には、無線ＬＡＮ接続を行うための情報として、無線ＬＡＮ識別子（ＳＳＩＤ）と、ネットワークキー（パスフレーズ）とが設定されている。無線ＬＡＮ設定情報は、例えばＮＤＥＦフォーマット方式で記録されるようにしてもよい。無線ＬＡＮ設定情報をＮＤＥＦフォーマット方式で記録した場合、ＴＮＦ（Ｔｙｐｅ  Ｎａｍｅ  Ｆｏｒｍａｔ）フィールドには、ＲＦＣ２０４６に規定のＭｅｄｉａ  Ｔｙｐｅがセットされ、Ｔｙｐｅフィールドには、無線ＬＡＮ設定情報であることを特定するための値がセットされる。例えば、Ｔｙｐｅフィールドにセットされる値は“ａｐｐｌｉｃａｔｉｏｎ／ｖｎｄ．ｓｏｍｅｃｏｍｐａｎｙ．ｗｌａｎ”などであり、“ｓｏｍｅｃｏｍｐａｎｙ．ｗｌａｎ”の部分は任意の値をセットすることができる。また、Ｔｙｐｅフィールドにセットされる値を“ａｐｐｌｉｃａｔｉｏｎ／ｖｎｄ．ｓｏｍｅｃｏｍｐａｎｙ．ｃａｍｅｒａＷｌａｎ”とした場合、“ｃａｍｅｒａＷｌａｎ”が存在する場合は、“撮像装置用”の無線ＬＡＮ設定情報であることを特定することも可能である。
【００３６】
撮像装置指示コマンドには、携帯端末１０１から撮像装置２０１に対する動作の指示コマンドが設定されている。撮像装置指示コマンドは、例えばＮＤＥＦフォーマット方式で記録してもよい。撮像装置指示コマンドをＮＤＥＦフォーマット方式で記録した場合、ＴＮＦ（Ｔｙｐｅ  Ｎａｍｅ  Ｆｏｒｍａｔ）フィールドには、ＲＦＣ２０４６に規定のＭｅｄｉａ  Ｔｙｐｅがセットされ、Ｔｙｐｅフィールドには、撮像装置指示コマンドであることを特定するための値がセットされる。例えば、Ｔｙｐｅフィールドにセットされる値は“ａｐｐｌｉｃａｔｉｏｎ／ｖｎｄ．ｓｏｍｅｃｏｍｐａｎｙ．ｃａｍｅｒａＡｃｔｉｏｎ”などであり、“ｓｏｍｅｃｏｍｐａｎｙ．ｃａｍｅｒａＡｃｔｉｏｎ”の部分は任意の値をセットすることができる。
【００３７】
撮像装置指示コマンドには、無線ＬＡＮのアクセスポイントを起動させるための「無線ＬＡＮアクセスポイント起動コマンド」や、携帯端末１０１からのリモート撮影機能を有効にするための「リモート撮影モード起動コマンド」や、携帯端末１０１から撮像装置２０１に記録されている画像データを閲覧するための「画像閲覧モード起動コマンド」や、撮像モジュール２０２の撮影パラメータの値を変更するための「撮影パラメータ変更コマンド」等がある。「リモート撮影モード起動コマンド」と「画像閲覧モード起動コマンド」に関しては、無線ＬＡＮのアクセスポイントの起動指示も兼ねることができる。
【００３８】
次に、携帯端末１０１の動作手順について説明する。図４は、本実施形態における携帯端末１０１の動作手順を示したフローチャートである。
（ステップＳ１０１）制御部１０５は、ＮＦＣ通信モジュール１０３がＮＦＣタグモジュール３０１を検出したか否かを判定する。ＮＦＣタグモジュール３０１を検出した場合にはステップＳ１０２の処理に進み、ＮＦＣタグモジュール３０１を検出していない場合には再度ステップＳ１０１の処理を実行する。
【００３９】
（ステップＳ１０２）ＮＦＣ通信モジュール１０３は、ＮＦＣタグモジュール３０１の第二メモリ３０３に記録されているデータを読み出す。その後、ステップＳ１０３の処理に進む。
【００４０】
（ステップＳ１０３）制御部１０５は、ステップＳ１０２の処理でＮＦＣ通信モジュール１０３が第二メモリ３０３から読み出したデータが無線ＬＡＮ設定情報であるか否かを判定する。第二メモリ３０３から読み出したデータが無線ＬＡＮ設定情報である場合にはステップＳ１０４の処理に進み、第二メモリ３０３から読み出したデータが無線ＬＡＮ設定情報では無い場合には処理を終了する。
【００４１】
（ステップＳ１０４）制御部１０５は、ＮＦＣ通信モジュール１０３を介して、ＮＦＣタグモジュール３０１の第二メモリ３０３に撮像装置指示コマンドを書き込む。その後、ステップＳ１０５の処理に進む。
【００４２】
（ステップＳ１０５）制御部１０５は、ステップＳ１０４の処理で実行した撮像装置指示コマンドの書き込みが正常に終了したか否かを判定する。撮像装置指示コマンドの書き込みが正常に終了した場合にはステップＳ１０６の処理に進み、撮像装置指示コマンドの書き込みが正常に終了していない場合には処理を終了する。
【００４３】
（ステップＳ１０６）制御部１０５は、ステップＳ１０４の処理で書き込んだ撮像装置指示コマンドが無線ＬＡＮのアクセスポイントの起動指示を兼ねているコマンドであるか否かを判定する。無線ＬＡＮのアクセスポイントの起動指示を兼ねているコマンドである場合にはステップＳ１０７の処理に進み、無線ＬＡＮのアクセスポイントの起動指示を兼ねていないコマンドである場合には処理を終了する。
【００４４】
（ステップＳ１０７）制御部１０５は、ステップＳ１０２の処理で読み出した無線ＬＡＮ設定情報に基づいて、ＷＬＡＮ通信モジュール１０２を撮像装置２０１に無線ＬＡＮ接続させる。その後、処理を終了する。
【００４５】
上述した処理により、携帯端末１０１は、ＮＦＣタグモジュール３０１の第二メモリ３０３から読み出したデータが無線ＬＡＮ設定情報であり、かつ、ＮＦＣタグモジュール３０１の第二メモリ３０３に撮像装置指示コマンドを正常に書き込みが完了した場合、かつ、撮像装置指示コマンドが無線ＬＡＮのアクセスポイント起動指示を兼ねている場合にのみ撮像装置２０１に無線ＬＡＮ接続させる。これにより、携帯端末１０１は、撮像装置２０１に対して無駄に無線ＬＡＮ接続しないようにすることができる。
【００４６】
なお、ステップＳ１０３の処理において、制御部１０５は、ステップＳ１０２の処理でＮＦＣ通信モジュール１０３が第二メモリ３０３から読み出したデータが無線ＬＡＮ設定情報であるか否かを判定したが、これに限らない。例えば、ステップＳ１０３の処理において、第二メモリ３０３から読み出したデータが「撮像装置２０１の無線ＬＡＮ設定情報」である場合にはステップＳ１０４の処理に進み、第二メモリ３０３から読み出したデータが「撮像装置２０１の無線ＬＡＮ設定情報」では無い場合には処理を終了するようにしてもよい。この場合、携帯端末１０１は、ＮＦＣタグモジュール３０１の第二メモリ３０３から読み出したデータが「撮像装置２０１の無線ＬＡＮ設定情報」であり、かつ、ＮＦＣタグモジュール３０１の第二メモリ３０３に撮像装置指示コマンドを正常に書き込みが完了した場合、かつ、撮像装置指示コマンドが無線ＬＡＮのアクセスポイント起動指示を兼ねている場合にのみ撮像装置２０１に無線ＬＡＮ接続させる。これにより、携帯端末１０１は、撮像装置２０１に対して、さらに無駄に無線ＬＡＮ接続しないようにすることができる。
【００４７】
次に、撮像装置２０１の動作手順について説明する。以下、撮像装置２０１の電源がオンの状態時の動作手順と、撮像装置２０１の電源がオフの状態時の動作手順とを説明する。図５は、本実施形態において、撮像装置２０１の電源がオンの状態時の撮像装置２０１の動作手順を示したフローチャートである。
【００４８】
（ステップＳ２０１）制御部２０６は、第二メモリ３０３の書き込みが正常に完了したことを示すＮＦＣタグ書き込み完了信号を、第一通信インタフェース２０５および第二通信インタフェース３０２が出力したことを検出したかを判定する。ＮＦＣタグ書き込み完了信号の出力を検出した場合にはステップＳ２０２の処理に進み、ＮＦＣタグ書き込み完了信号の出力を検出していない場合には再度ステップＳ２０１の処理を実行する。
【００４９】
（ステップＳ２０２）制御部２０６は、第一通信インタフェース２０５および第二通信インタフェース３０２を介して、第二メモリ３０３に記憶されているデータを読み出す。その後、ステップＳ２０３の処理に進む。
【００５０】
（ステップＳ２０３）制御部２０６は、ステップＳ２０２の処理で第二メモリ３０３から読み出したデータが撮像装置指示コマンドであるか否かを判定する。第二メモリ３０３から読み出したデータが撮像装置指示コマンドである場合にはステップＳ２０４の処理に進み、第二メモリ３０３から読み出したデータが撮像装置指示コマンドでは無い場合にはステップＳ２０５の処理に進む。
【００５１】
（ステップＳ２０４）制御部２０６は、ステップＳ２０２の処理で読み出した撮像装置指示コマンドを実行する。その後、処理を終了する。
（ステップＳ２０５）制御部２０６は、ＷＬＡＮ通信モジュール２０３が無線ＬＡＮのアクセスポイントとして起動しているか否かを判定する。無線ＬＡＮのアクセスポイントとして起動していると判定した場合にはステップＳ２０６の処理に進み、無線ＬＡＮのアクセスポイントとして起動していないと判定した場合には処理を終了する。
（ステップＳ２０６）制御部２０６は、ＷＬＡＮ通信モジュール２０３を制御し、無線ＬＡＮのアクセスポイントとしての機能を停止させる。その後、処理を終了する。
【００５２】
上述した処理により、撮像装置２０１は、ＮＦＣタグモジュール３０１の第二メモリ３０３から読み出したデータが撮像装置指示コマンドではない場合には、ＷＬＡＮ通信モジュール２０３の無線ＬＡＮアクセスポイントとしての機能を停止させる。これにより、撮像装置２０１は、ＷＬＡＮ通信モジュール２０３が無駄に動作しないようにすることができ、消費電力を低減させることができる。
【００５３】
図６は、本実施形態において、撮像装置２０１の電源がオフの状態時の撮像装置２０１の動作手順を示したフローチャートである。
【００５４】
（ステップＳ３０１）制御部２０６は、第二メモリ３０３の書き込みが正常に完了したことを示すＮＦＣタグ書き込み完了信号を、第一通信インタフェース２０５および第二通信インタフェース３０２が出力したことを検出したかを判定する。ＮＦＣタグ書き込み完了信号の出力を検出した場合にはステップＳ３０２の処理に進み、ＮＦＣタグ書き込み完了信号の出力を検出していない場合には再度ステップＳ３０１の処理を実行する。
【００５５】
（ステップＳ３０２）制御部２０６（ＣＰＵ）は、スリープ状態のときに、第一通信インタフェース２０５および第二通信インタフェース３０２が出力する起動信号を検出したため、スリープ状態を解除し、撮像装置２０１の各部の電源をオンにする。その後、ステップＳ３０３の処理に進む。
（ステップＳ３０３）制御部２０６は、第一通信インタフェース２０５および第二通信インタフェース３０２を介して、第二メモリ３０３に記憶されているデータを読み出す。その後、ステップＳ３０４の処理に進む。
【００５６】
（ステップＳ３０４）制御部２０６は、ステップＳ３０３の処理で第二メモリ３０３から読み出したデータが撮像装置指示コマンドであるか否かを判定する。第二メモリ３０３から読み出したデータが撮像装置指示コマンドである場合にはステップＳ３０５の処理に進み、第二メモリ３０３から読み出したデータが撮像装置指示コマンドでは無い場合にはステップＳ３０６の処理に進む。
【００５７】
（ステップＳ３０５）制御部２０６は、ステップＳ３０３の処理で読み出した撮像装置指示コマンドを実行する。その後、処理を終了する。
（ステップＳ３０６）制御部２０６は、撮像装置２０１の電源をオフにする（スリープ状態）。その後、処理を終了する。
【００５８】
上述した処理により、撮像装置２０１は、ＮＦＣタグモジュール３０１の第二メモリ３０３から読み出したデータが撮像装置指示コマンドではない場合には、撮像装置２０１自体の電源をオフにする。これにより、撮像装置２０１は、ＷＬＡＮ通信モジュール２０３が無駄に動作しないようにすることができ、消費電力を低減させることができる。
【００５９】
次に、制御部２０６が撮像装置指示コマンドを実行する手順（ステップＳ２０４，ステップＳ３０５の処理）について説明する。図７は、本実施形態において、制御部２０６が撮像装置指示コマンドを実行する手順を示したフローチャートである。
【００６０】
（ステップＳ４０１）制御部２０６は、第二メモリ３０３から読み出した撮像装置指示コマンドが「無線ＬＡＮアクセスポイント起動コマンド」であるか否かを判定する。「無線ＬＡＮアクセスポイント起動コマンド」であると制御部２０６が判定した場合にはステップＳ４０２の処理に進み、「無線ＬＡＮアクセスポイント起動コマンド」ではないと制御部２０６が判定した場合にはステップＳ４０３の処理に進む。
【００６１】
（ステップＳ４０２）制御部２０６は、ＷＬＡＮ通信モジュール２０３を制御し、第二メモリ３０３に書き込まれている無線ＬＡＮ設定情報に基づいて無線ＬＡＮのアクセスポイントとしての機能を起動させる。その後、ステップＳ４１４の処理に進む。
【００６２】
（ステップＳ４０３）制御部２０６は、第二メモリ３０３から読み出した撮像装置指示コマンドが「リモート撮影モード起動コマンド」であるか否かを判定する。「リモート撮影モード起動コマンド」であると制御部２０６が判定した場合にはステップＳ４０４の処理に進み、「リモート撮影モード起動コマンド」ではないと制御部２０６が判定した場合にはステップＳ４０７の処理に進む。
【００６３】
（ステップＳ４０４）制御部２０６は、ＷＬＡＮ通信モジュール２０３を制御し、第二メモリ３０３に書き込まれている無線ＬＡＮ設定情報に基づいて無線ＬＡＮのアクセスポイントとしての機能を起動させる。その後、ステップＳ４０５の処理に進む。
（ステップＳ４０５）制御部２０６は、撮像モジュール２０２を起動させる。その後、ステップＳ４０６の処理に進む。
（ステップＳ４０６）制御部２０６は、リモート撮影モードを起動させる。その後、ステップＳ４１４の処理に進む。
【００６４】
（ステップＳ４０７）制御部２０６は、第二メモリ３０３から読み出した撮像装置指示コマンドが「画像閲覧モード起動コマンド」であるか否かを判定する。「画像閲覧モード起動コマンド」であると制御部２０６が判定した場合にはステップＳ４０８の処理に進み、「画像閲覧モード起動コマンド」ではないと制御部２０６が判定した場合にはステップＳ４１０の処理に進む。
【００６５】
（ステップＳ４０８）制御部２０６は、ＷＬＡＮ通信モジュール２０３を制御し、第二メモリ３０３に書き込まれている無線ＬＡＮ設定情報に基づいて無線ＬＡＮのアクセスポイントとしての機能を起動させる。その後、ステップＳ４０９の処理に進む。
（ステップＳ４０９）制御部２０６は、画像閲覧モードを起動させる。その後、ステップＳ４１４の処理に進む。
【００６６】
（ステップＳ４１０）制御部２０６は、第二メモリ３０３から読み出した撮像装置指示コマンドが「撮影パラメータ変更コマンド」であるか否かを判定する。「撮影パラメータ変更コマンド」であると制御部２０６が判定した場合にはステップＳ４１１の処理に進み、「撮影パラメータ変更コマンド」ではないと制御部２０６が判定した場合にはステップＳ４１２の処理に進む。
（ステップＳ４１１）制御部２０６は、撮影パラメータを変更する。その後、ステップＳ４１４の処理に進む。
【００６７】
（ステップＳ４１２）制御部２０６は、第二メモリ３０３から読み出した撮像装置指示コマンドが「メタ情報付加コマンド」であるか否かを判定する。「メタ情報付加コマンド」であると制御部２０６が判定した場合にはステップＳ４１３の処理に進み、「メタ情報付加コマンド」ではないと制御部２０６が判定した場合には処理を終了する。
（ステップＳ４１３）制御部２０６は、メタ情報を付加する。その後、ステップＳ４１４の処理に進む。
（ステップＳ４１４）制御部２０６は、第一通信インタフェース２０５および第二通信インタフェース３０２を介して、第二メモリ３０３に撮像装置指示コマンド実行済みデータを書き込む。その後、処理を終了する。
【００６８】
次に、携帯端末１０１と、撮像装置２０１と、ＮＦＣタグモジュール３０１との動作の具体例について説明する。図８は、撮像装置２０１の電源がオンの状態であり、撮像装置指示コマンドが「無線ＬＡＮアクセスポイント起動コマンド」である場合の携帯端末１０１と、撮像装置２０１と、ＮＦＣタグモジュール３０１との動作を示したシーケンス図である。
【００６９】
（ステップＳ５０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ５０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ５０１２）。
【００７０】
（ステップＳ５０２）携帯端末１０１は、ＮＦＣを用いて、撮像装置２０１およびＮＦＣタグモジュール３０１に撮像装置指示コマンド「無線ＬＡＮアクセスポイント起動コマンド」を書き込む。具体的には、携帯端末１０１は、ＮＦＣを用いて、撮像装置２０１およびＮＦＣタグモジュール３０１に対してライトコマンドとライトデータ（無線ＬＡＮアクセスポイント起動コマンド）を送信する（ステップＳ５０２１）。続いて、撮像装置２０１およびＮＦＣタグモジュール３０１は、ＮＦＣを用いて、携帯端末１０１に対してレスポンスコマンドを送信する（ステップＳ５０２２）。
【００７１】
（ステップＳ５０３）撮像装置２０１およびＮＦＣタグモジュール３０１は、ステップＳ５０２の処理でデータが書き込まれたため、書き込みデータをチェックする。
（ステップＳ５０４）撮像装置２０１およびＮＦＣタグモジュール３０１は、ステップＳ５０３の処理でチェックしたデータ（無線ＬＡＮアクセスポイント起動コマンド）に基づいて、ＷＬＡＮ通信モジュール２０３のアクセスポイント機能を起動させる。
【００７２】
（ステップＳ５０５）携帯端末１０１は、ＷＬＡＮを用いて、ＷＬＡＮ通信モジュール２０３のアクセスポイントに接続する。
（ステップＳ５０６）携帯端末１０１と、撮像装置２０１およびＮＦＣタグモジュール３０１とは、ＷＬＡＮを用いてデータの送受信を行う。
【００７３】
このように、撮像装置２０１は、無線ＬＡＮが必要な場合（例えば、ＮＦＣタグモジュール３０１の第二メモリ３０３に撮像装置指示コマンド「無線ＬＡＮアクセスポイント起動コマンド」が書き込まれた場合）には、ＷＬＡＮ通信モジュール２０３を動作させることができる。
【００７４】
図９は、撮像装置２０１の電源がオンの状態であり、撮像装置指示コマンドが「撮影パラメータ変更コマンド」等、無線ＬＡＮのアクセスポイントの起動指示を含んでいない場合の携帯端末１０１と、撮像装置２０１と、ＮＦＣタグモジュール３０１との動作を示したシーケンス図である。
【００７５】
（ステップＳ６０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ６０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ６０１２）。
【００７６】
（ステップＳ６０２）携帯端末１０１は、ＮＦＣを用いて、撮像装置２０１およびＮＦＣタグモジュール３０１に撮像装置指示コマンド「撮影パラメータ変更コマンド」を書き込む。具体的には、携帯端末１０１は、ＮＦＣを用いて、撮像装置２０１およびＮＦＣタグモジュール３０１に対してライトコマンドとライトデータ（撮影パラメータ変更コマンド）を送信する（ステップＳ６０２１）。続いて、撮像装置２０１およびＮＦＣタグモジュール３０１は、ＮＦＣを用いて、携帯端末１０１に対してレスポンスコマンドを送信する（ステップＳ６０２２）。
【００７７】
（ステップＳ６０３）撮像装置２０１およびＮＦＣタグモジュール３０１は、ステップＳ６０２の処理でデータが書き込まれたため、書き込みデータをチェックする。
（ステップＳ６０４）撮像装置２０１およびＮＦＣタグモジュール３０１は、ステップＳ６０３の処理でチェックしたデータ（撮影パラメータ変更コマンド）に基づいて、撮影パラメータを変更する。
【００７８】
このように、撮像装置２０１は、無線ＬＡＮが必要ない場合（例えば、ＮＦＣタグモジュール３０１の第二メモリ３０３に、無線ＬＡＮを用いる必要が無い撮像装置指示コマンドが書き込まれた場合）には、ＷＬＡＮ通信モジュール２０３を無駄に動作させることがないため、消費電力を低減させることができる。
【００７９】
図１０は、撮像装置２０１の電源がオンの状態であり、撮像装置指示コマンドの書き込みがない場合の携帯端末１０１と、撮像装置２０１と、ＮＦＣタグモジュール３０１との動作を示したシーケンス図である。
【００８０】
（ステップＳ７０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ７０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ７０１２）。なお、撮像装置２０１およびＮＦＣタグモジュール３０１は、データが書き込まれていないため、レスポンスコマンドとデータとを送信した後には特に処理を行わない。
【００８１】
このように、撮像装置２０１は、無線ＬＡＮが必要ない場合（例えば、ＮＦＣタグモジュール３０１の第二メモリ３０３に撮像装置指示コマンドが書き込まれていない場合）には、ＷＬＡＮ通信モジュール２０３を無駄に動作させることがないため、消費電力を低減させることができる。
【００８２】
図１１は、撮像装置２０１の電源がオンの状態であり、撮像装置指示コマンドが認識不可能なコマンドである場合の携帯端末１０１と、撮像装置２０１と、ＮＦＣタグモジュール３０１との動作を示したシーケンス図である。
【００８３】
（ステップＳ８０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ８０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ８０１２）。
【００８４】
（ステップＳ８０２）携帯端末１０１は、ＮＦＣを用いて、撮像装置２０１およびＮＦＣタグモジュール３０１に認識不可能な撮像装置指示コマンドを書き込む。具体的には、携帯端末１０１は、ＮＦＣを用いて、撮像装置２０１およびＮＦＣタグモジュール３０１に対してライトコマンドとライトデータ（認識不可能な撮像装置指示コマンド）を送信する（ステップＳ８０２１）。続いて、撮像装置２０１およびＮＦＣタグモジュール３０１は、ＮＦＣを用いて、携帯端末１０１に対してレスポンスコマンドを送信する（ステップＳ８０２２）。
【００８５】
（ステップＳ８０３）撮像装置２０１およびＮＦＣタグモジュール３０１は、ステップＳ８０２の処理でデータが書き込まれたため、書き込みデータをチェックする。なお、チェックしたデータは認識不可能な撮像指示コマンドであるため、撮像装置２０１およびＮＦＣタグモジュール３０１は、書き込みデータのチェック後には特に処理を行わない。
【００８６】
このように、撮像装置２０１は、無線ＬＡＮが必要ない場合（例えば、ＮＦＣタグモジュール３０１の第二メモリ３０３に書き込まれたデータが認識不可能な撮像指示コマンドである場合）には、ＷＬＡＮ通信モジュール２０３を無駄に動作させることがないため、消費電力を低減させることができる。
【００８７】
図１２は、撮像装置２０１の電源がオンの状態であり、撮像装置指示コマンド「無線ＬＡＮアクセスポイント起動コマンド」の書き込みを失敗した場合の携帯端末１０１と、撮像装置２０１と、ＮＦＣタグモジュール３０１との動作を示したシーケンス図である。
【００８８】
（ステップＳ９０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ９０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ９０１２）。
【００８９】
（ステップＳ９０２）携帯端末１０１は、ＮＦＣを用いて、撮像装置２０１およびＮＦＣタグモジュール３０１に撮像装置指示コマンド「無線ＬＡＮアクセスポイント起動コマンド」を書き込むが、書き込みに失敗する。具体的には、携帯端末１０１は、ＮＦＣを用いて、撮像装置２０１およびＮＦＣタグモジュール３０１に対してライトコマンドとライトデータ（無線ＬＡＮアクセスポイント起動コマンド）を送信する（ステップＳ９０２１）。しかしながら、無線ＬＡＮアクセスポイント起動コマンドの書き込みが失敗したため、撮像装置２０１およびＮＦＣタグモジュール３０１は、特に処理を行わない。
【００９０】
このように、撮像装置２０１は、無線ＬＡＮが必要ない場合（例えば、携帯端末１０１によるＮＦＣタグモジュール３０１の第二メモリ３０３への書き込みが失敗した場合）には、ＷＬＡＮ通信モジュール２０３を無駄に動作させることがないため、消費電力を低減させることができる。
【００９１】
図１３は、撮像装置２０１の電源がオンの状態であり、撮像装置２０１およびＮＦＣタグモジュール３０１から読み出したデータを携帯端末１０１で認識することができない場合の携帯端末１０１と、撮像装置２０１と、ＮＦＣタグモジュール３０１との動作を示したシーケンス図である。
【００９２】
（ステップＳ１００１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１００１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１００１２）。しかしながら、携帯端末１０１は、撮像装置２０１およびＮＦＣタグモジュール３０１から読み出したデータを認識することができないため、特に処理を行わない。また、携帯端末１０１が処理を行わないため、撮像装置２０１も処理を行わない。
【００９３】
このように、撮像装置２０１は、無線ＬＡＮが必要ない場合（例えば、携帯端末１０１が、ＮＦＣタグモジュール３０１の第二メモリ３０３から読み出したデータを認識することができない場合）には、ＷＬＡＮ通信モジュール２０３を無駄に動作させることがないため、消費電力を低減させることができる。
【００９４】
図１４は、撮像装置２０１の電源がオフの状態であり、撮像装置指示コマンドが「無線ＬＡＮアクセスポイント起動コマンド」である場合の携帯端末１０１と、撮像装置２０１と、ＮＦＣタグモジュール３０１との動作を示したシーケンス図である。
【００９５】
（ステップＳ１１０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１１０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１１０１２）。
【００９６】
（ステップＳ１１０２）携帯端末１０１は、ＮＦＣを用いて、撮像装置２０１およびＮＦＣタグモジュール３０１に撮像装置指示コマンド「無線ＬＡＮアクセスポイント起動コマンド」を書き込む。具体的には、携帯端末１０１は、ＮＦＣを用いて、撮像装置２０１およびＮＦＣタグモジュール３０１に対してライトコマンドとライトデータ（無線ＬＡＮアクセスポイント起動コマンド）を送信する（ステップＳ１１０２１）。続いて、撮像装置２０１およびＮＦＣタグモジュール３０１は、ＮＦＣを用いて、携帯端末１０１に対してレスポンスコマンドを送信する（ステップＳ１１０２２）。
【００９７】
（ステップＳ１１０３）撮像装置２０１およびＮＦＣタグモジュール３０１は、ステップＳ１１０２の処理でデータが書き込まれたため、撮像装置２０１の電源をオンにする。
（ステップＳ１１０４）撮像装置２０１およびＮＦＣタグモジュール３０１は、ステップＳ１１０２の処理でデータが書き込まれたため、書き込みデータをチェックする。
【００９８】
（ステップＳ１１０５）撮像装置２０１およびＮＦＣタグモジュール３０１は、ステップＳ１１０４の処理でチェックしたデータ（無線ＬＡＮアクセスポイント起動コマンド）に基づいて、ＷＬＡＮ通信モジュール２０３のアクセスポイント機能を起動させる。
（ステップＳ１１０６）携帯端末１０１は、ＷＬＡＮを用いて、ＷＬＡＮ通信モジュール２０３のアクセスポイントに接続する。
（ステップＳ１１０７）携帯端末１０１と、撮像装置２０１およびＮＦＣタグモジュール３０１とは、ＷＬＡＮを用いてデータの送受信を行う。
【００９９】
このように、撮像装置２０１は、処理が必要な場合（例えば、ＮＦＣタグモジュール３０１の第二メモリ３０３に撮像装置指示コマンドが書き込まれた場合）には、撮像装置２０１の電源をオンにすることができる。また、撮像装置２０１は、無線ＬＡＮが必要な場合（例えば、ＮＦＣタグモジュール３０１の第二メモリ３０３に撮像装置指示コマンド「無線ＬＡＮアクセスポイント起動コマンド」が書き込まれた場合）には、ＷＬＡＮ通信モジュール２０３を動作させることができる。
【０１００】
図１５は、撮像装置２０１の電源がオフの状態であり、撮像装置指示コマンドが「撮影パラメータ変更コマンド」等、無線ＬＡＮのアクセスポイントの起動指示を含んでいない場合の携帯端末１０１と、撮像装置２０１と、ＮＦＣタグモジュール３０１との動作を示したシーケンス図である。
【０１０１】
（ステップＳ１２０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１２０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１２０１２）。
【０１０２】
（ステップＳ１２０２）携帯端末１０１は、ＮＦＣを用いて、撮像装置２０１およびＮＦＣタグモジュール３０１に撮像装置指示コマンド「撮影パラメータ変更コマンド」を書き込む。具体的には、携帯端末１０１は、ＮＦＣを用いて、撮像装置２０１およびＮＦＣタグモジュール３０１に対してライトコマンドとライトデータ（撮影パラメータ変更コマンド）を送信する（ステップＳ１２０２１）。続いて、撮像装置２０１およびＮＦＣタグモジュール３０１は、ＮＦＣを用いて、携帯端末１０１に対してレスポンスコマンドを送信する（ステップＳ１２０２２）。
【０１０３】
（ステップＳ１２０３）撮像装置２０１およびＮＦＣタグモジュール３０１は、ステップＳ１２０２の処理でデータが書き込まれたため、撮像装置２０１の電源をオンにする。
（ステップＳ１２０４）撮像装置２０１およびＮＦＣタグモジュール３０１は、ステップＳ１２０２の処理でデータが書き込まれたため、書き込みデータをチェックする。
【０１０４】
（ステップＳ１２０５）撮像装置２０１およびＮＦＣタグモジュール３０１は、ステップＳ１２０４の処理でチェックしたデータ（撮影パラメータ変更コマンド）に基づいて、撮影パラメータを変更する。
【０１０５】
このように、撮像装置２０１は、処理が必要な場合（例えば、ＮＦＣタグモジュール３０１の第二メモリ３０３に撮像装置指示コマンドが書き込まれた場合）には、撮像装置２０１の電源をオンにすることができる。また、撮像装置２０１は、無線ＬＡＮが必要ない場合（例えば、ＮＦＣタグモジュール３０１の第二メモリ３０３に、無線ＬＡＮを用いる必要が無い撮像装置指示コマンドが書き込まれた場合）には、ＷＬＡＮ通信モジュール２０３を無駄に動作させることがないため、消費電力を低減させることができる。
【０１０６】
図１６は、撮像装置２０１の電源がオフの状態であり、撮像装置指示コマンドの書き込みがない場合の携帯端末１０１と、撮像装置２０１と、ＮＦＣタグモジュール３０１との動作を示したシーケンス図である。
【０１０７】
（ステップＳ１３０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１３０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１３０１２）。なお、ＮＦＣタグモジュール３０１の第二メモリ３０３にはデータが書き込まれていないため、撮像装置２０１は、レスポンスコマンドとデータとを送信した後には特に処理を行わない。
【０１０８】
このように、撮像装置２０１は、処理を行わない場合（例えば、ＮＦＣタグモジュール３０１の第二メモリ３０３にデータが書き込まれていない場合）には撮像装置２０１の電源をオンにしないことができる。また、撮像装置２０１は、無線ＬＡＮが必要ない場合（例えば、ＮＦＣタグモジュール３０１の第二メモリ３０３に撮像装置指示コマンドが書き込まれていない場合）には、ＷＬＡＮ通信モジュール２０３を無駄に動作させることがないため、消費電力を低減させることができる。
【０１０９】
図１７は、撮像装置２０１の電源がオフの状態であり、撮像装置指示コマンドが認識不可能なコマンドである場合の携帯端末１０１と、撮像装置２０１と、ＮＦＣタグモジュール３０１との動作を示したシーケンス図である。
【０１１０】
（ステップＳ１４０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１４０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１４０１２）。
【０１１１】
（ステップＳ１４０２）携帯端末１０１は、ＮＦＣを用いて、撮像装置２０１およびＮＦＣタグモジュール３０１に認識不可能な撮像装置指示コマンドを書き込む。具体的には、携帯端末１０１は、ＮＦＣを用いて、撮像装置２０１およびＮＦＣタグモジュール３０１に対してライトコマンドとライトデータ（認識不可能な撮像装置指示コマンド）を送信する（ステップＳ１４０２１）。続いて、撮像装置２０１およびＮＦＣタグモジュール３０１は、ＮＦＣを用いて、携帯端末１０１に対してレスポンスコマンドを送信する（ステップＳ１４０２２）。
【０１１２】
（ステップＳ１４０３）撮像装置２０１およびＮＦＣタグモジュール３０１は、ステップＳ１４０２の処理でデータが書き込まれたため、撮像装置２０１の電源をオンにする。
（ステップＳ１４０４）撮像装置２０１およびＮＦＣタグモジュール３０１は、ステップＳ１４０２の処理でデータが書き込まれたため、書き込みデータをチェックする。
【０１１３】
（ステップＳ１４０５）撮像装置２０１およびＮＦＣタグモジュール３０１は、ステップＳ１４０２の処理でチェックしたデータは認識不可能な撮像指示コマンドであるため、撮像装置２０１の電源をオフにする。
【０１１４】
このように、撮像装置２０１は、処理が必要な場合（例えば、ＮＦＣタグモジュール３０１の第二メモリ３０３に撮像装置指示コマンドが書き込まれた場合）に、電源をオンにすることができる。また、撮像装置２０１は、処理を行う必要がなくなった場合（例えば、ＮＦＣタグモジュール３０１の第二メモリ３０３に書き込まれた撮像指示コマンドが認識不可能なコマンドである場合）に電源をオフにすることができ、ＷＬＡＮ通信モジュール２０３を無駄に動作させることがない。そのため、消費電力を低減させることができる。
【０１１５】
図１８は、撮像装置２０１の電源がオフの状態であり、撮像装置指示コマンド「無線ＬＡＮアクセスポイント起動コマンド」の書き込みを失敗した場合の携帯端末１０１と、撮像装置２０１と、ＮＦＣタグモジュール３０１との動作を示したシーケンス図である。
【０１１６】
（ステップＳ１５０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１５０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１５０１２）。
【０１１７】
（ステップＳ１５０２）携帯端末１０１は、ＮＦＣを用いて、撮像装置２０１およびＮＦＣタグモジュール３０１に撮像装置指示コマンド「無線ＬＡＮアクセスポイント起動コマンド」を書き込むが、書き込みに失敗する。具体的には、携帯端末１０１は、ＮＦＣを用いて、撮像装置２０１およびＮＦＣタグモジュール３０１に対してライトコマンドとライトデータ（無線ＬＡＮアクセスポイント起動コマンド）を送信する（ステップＳ１５０２１）。しかしながら、無線ＬＡＮアクセスポイント起動コマンドの書き込みが失敗したため、撮像装置２０１およびＮＦＣタグモジュール３０１は、撮像装置２０１の電源をオンにしない。
【０１１８】
このように、撮像装置２０１は、処理を行わない場合（例えば、携帯端末１０１によるＮＦＣタグモジュール３０１の第二メモリ３０３への書き込みが失敗した場合）には、撮像装置２０１の電源をオンにしないことができ、ＷＬＡＮ通信モジュール２０３を無駄に動作させることがないため、消費電力を低減させることができる。
【０１１９】
図１９は、撮像装置２０１の電源がオフの状態であり、撮像装置２０１およびＮＦＣタグモジュール３０１から読み出したデータを携帯端末１０１で認識することができない場合の携帯端末１０１と、撮像装置２０１と、ＮＦＣタグモジュール３０１との動作を示したシーケンス図である。
【０１２０】
（ステップＳ１６０１）携帯端末１０１は、ＮＦＣを用いて、撮像装置２０１およびＮＦＣタグモジュール３０１から無線ＬＡＮ設定情報を読み出す。具体的には、携帯端末１０１は、ＮＦＣを用いて、撮像装置２０１およびＮＦＣタグモジュール３０１に対してリードコマンドを送信する（ステップＳ１６０１１）。続いて、撮像装置２０１およびＮＦＣタグモジュール３０１は、ＮＦＣを用いて、携帯端末１０１に対してレスポンスコマンドとデータ（無線ＬＡＮ設定情報）とを送信する（ステップＳ１６０１２）。しかしながら、携帯端末１０１は、撮像装置２０１およびＮＦＣタグモジュール３０１から読み出したデータを認識することができないため、特に処理を行わない。また、携帯端末１０１が処理を行わないため、撮像装置２０１も処理を行わない。
【０１２１】
このように、撮像装置２０１は、処理を行わない場合（例えば、携帯端末１０１が、ＮＦＣタグモジュール３０１の第二メモリ３０３から読み出したデータを認識することができない場合）には、撮像装置２０１の電源をオンにしないことができ、ＷＬＡＮ通信モジュール２０３を無駄に動作させることがないため、消費電力を低減させることができる。
【０１２２】
上述したとおり、本実施形態によれば、携帯端末１０１の制御部１０５は、ＮＦＣ通信モジュール１０３を用いてＮＦＣタグモジュール３０１の第二メモリ３０３からデータ（書込済データ）を読み出し、読み出したデータが所定のフォーマットであるか否かを検出する。そして、携帯端末１０１の制御部１０５は、ＮＦＣタグモジュール３０１の第二メモリ３０３から読み出したデータが所定のフォーマットであり、かつ、無線ＬＡＮ設定データであるとる場合には、ＮＦＣ通信モジュール１０３を用いて、ＮＦＣタグモジュール３０１の第二メモリ３０３に、ＷＬＡＮ通信モジュール２０３のアクセスポイント機能を起動することを指示するコマンドデータを書き込む。
【０１２３】
また、携帯端末１０１の制御部１０５は、ＮＦＣタグモジュール３０１の第二メモリ３０３から書込済データを読み出した後、ＮＦＣタグモジュール３０１との近距離無線通信が不可能になるまでの間に、ＮＦＣタグモジュール３０１の第二メモリ３０３に対するコマンドデータの書き込みを行う。
【０１２４】
また、携帯端末１０１の制御部１０５は、ＮＦＣタグモジュール３０１の第二メモリ３０３に対してコマンドデータの書き込みが成功したときにのみ、無線ＬＡＮ設定データを用いたＷＬＡＮ通信モジュール１０２による無線通信の接続処理を行う。
【０１２５】
また、携帯端末１０１のメモリ１０４は比較用データを記録し、制御部１０５は、無線ＬＡＮ設定データが撮像装置２０１のものであるか否かを比較用データに基づいて特定し、無線ＬＡＮ設定データが撮像装置２０１のものであると特定された場合、撮像装置２０１にリモート撮像機能を開始させるコマンドデータ、又は、撮像装置２０１が保有している画像データを共有させるコマンドデータをＮＦＣタグモジュール３０１の第二メモリ３０３に書き込む。
【０１２６】
また、撮像装置２０１の第一通信インタフェース２０５およびＮＦＣタグモジュール３０１の第二通信インタフェース３０２は、ＮＦＣタグモジュール３０１の第二メモリ３０３に、コマンドデータが新たに書き込まれたことを検出する。また、撮像装置２０１の制御部２０６は、ＮＦＣタグモジュール３０１の第二メモリ３０３にコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、撮像装置２０１の電源をオフにして撮像モジュール２０２を利用不可な状態に設定する。
【０１２７】
また、撮像装置２０１の制御部２０６は、ＮＦＣタグモジュール３０１の第二メモリ３０３に書き込まれたコマンドデータに誤りがない場合、ＮＦＣタグモジュール３０１の第二メモリ３０３に書き込まれているコマンドデータを削除する、又は、コマンドデータに応じた処理が撮像装置２０１で実行されたか否かを判別することができるデータをＮＦＣタグモジュール３０１の第二メモリ３０３に書き込む。
【０１２８】
また、撮像装置２０１の制御部２０６は、ＮＦＣタグモジュール３０１の第二メモリ３０３にＷＬＡＮ通信モジュール２０３で使用する無線ＬＡＮ設定データを書き込むとともに、当該無線ＬＡＮ設定データを書き込んだ後にのみ、当該読み出されたコマンドデータに誤りがある場合、撮像装置２０１の電源をオフにして撮像モジュールを利用不可な状態に設定する。
【０１２９】
上述したとおり、撮像装置２０１は、無線ＬＡＮが必要な場合（例えば、ＮＦＣタグモジュール３０１の第二メモリ３０３に撮像装置指示コマンド「無線ＬＡＮアクセスポイント起動コマンド」が書き込まれた場合）には、ＷＬＡＮ通信モジュール２０３を動作させることができる。
【０１３０】
また、撮像装置２０１は、無線ＬＡＮが必要ない場合には、ＷＬＡＮ通信モジュール２０３を無駄に動作させることがないため、消費電力を低減させることができる。無線ＬＡＮが必要ない場合としては、例えば、ＮＦＣタグモジュール３０１の第二メモリ３０３に、無線ＬＡＮを用いる必要が無い撮像装置指示コマンドが書き込まれた場合がある。また、例えば、ＮＦＣタグモジュール３０１の第二メモリ３０３に撮像装置指示コマンドが書き込まれていない場合がある。また、例えば、ＮＦＣタグモジュール３０１の第二メモリ３０３に書き込まれたデータが認識不可能な撮像指示コマンドである場合がある。また、例えば、携帯端末１０１によるＮＦＣタグモジュール３０１の第二メモリ３０３への書き込みが失敗した場合がある。また、例えば、携帯端末１０１が、ＮＦＣタグモジュール３０１の第二メモリ３０３から読み出したデータを認識することができない場合がある。
【０１３１】
また、撮像装置２０１は、処理が必要な場合には、撮像装置２０１の電源をオンにすることができる。処理が必要な場合としては、例えば、ＮＦＣタグモジュール３０１の第二メモリ３０３に撮像装置指示コマンドが書き込まれた場合がある。また、例えば、ＮＦＣタグモジュール３０１の第二メモリ３０３に撮像装置指示コマンドが書き込まれた場合がある。
【０１３２】
また、撮像装置２０１は、処理を行わない場合には撮像装置２０１の電源をオンにしないことができる。処理を行わない場合としては、例えば、ＮＦＣタグモジュール３０１の第二メモリ３０３にデータが書き込まれていない場合がある。また、例えば、携帯端末１０１によるＮＦＣタグモジュール３０１の第二メモリ３０３への書き込みが失敗した場合がある。また、例えば、携帯端末１０１が、ＮＦＣタグモジュール３０１の第二メモリ３０３から読み出したデータを認識することができない場合がある。
【０１３３】
また、撮像装置２０１は、処理を行う必要がなくなった場合には、電源をオフにすることができる。処理を行う必要がなくなった場合としては、例えば、ＮＦＣタグモジュール３０１の第二メモリ３０３に書き込まれた撮像指示コマンドが認識不可能なコマンドである場合がある。
【０１３４】
なお、上述した携帯端末１０１が備える各部の機能全体あるいはその一部、上述した撮像装置２０１が備える各部の機能全体あるいはその一部、上述したＮＦＣタグモジュール３０１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１３５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３６】
以上、この発明の実施形態について図面を参照して詳述してきたが、具体的な構成はこの実施形態に限られるものではなく、この発明の要旨を逸脱しない範囲の設計等も含まれる。例えば、上述した実施形態では、撮像装置２０１とＮＦＣタグモジュール３０１とは別体であるが、撮像装置２０１がＮＦＣタグモジュール３０１を内蔵してもよい。
【符号の説明】
【０１３７】
１０１  携帯端末
１０２  ＷＬＡＮ通信モジュール
１０３  ＮＦＣ通信モジュール
１０４  メモリ
１０５  制御部
２０１  撮像装置
２０２  撮像モジュール
２０３  通信モジュール
２０４  第一メモリ
２０５  第一通信インタフェース
２０６  制御部
３０１  ＮＦＣタグモジュール
３０２  第二通信インタフェース
３０３  第二メモリ
【図１】
2015220611.tif 000003
【図２】
2015220611.tif 000004
【図３】
2015220611.tif 000005
【図４】
2015220611.tif 000006
【図５】
2015220611.tif 000007
【図６】
2015220611.tif 000008
【図７】
2015220611.tif 000009
【図８】
2015220611.tif 000010
【図９】
2015220611.tif 000011
【図１０】
2015220611.tif 000012
【図１１】
2015220611.tif 000013
【図１２】
2015220611.tif 000014
【図１３】
2015220611.tif 000015
【図１４】
2015220611.tif 000016
【図１５】
2015220611.tif 000017
【図１６】
2015220611.tif 000018
【図１７】
2015220611.tif 000019
【図１８】
2015220611.tif 000020
【図１９】
2015220611.tif 000021
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
撮像モジュールと、無線ＬＡＮで無線通信を行う無線ＬＡＮ通信モジュールと、ＩＣタグ接続端子と、を有する撮像装置であって、
前記ＩＣタグ接続端子に有線接続されているＩＣタグに、コマンドデータが新たに書き込まれたことを検出する検出部と、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する制御部と、
を有することを特徴とする撮像装置。
【請求項２】
前記制御部は、前記コマンドデータに誤りがない場合、当該読み出されたコマンドデータに応じた処理を実行し、前記ＩＣタグに書き込まれているコマンドデータを削除する、又は、前記コマンドデータに応じた処理が前記撮像装置で実行されたか否かを判別することができるデータを前記ＩＣタグに書き込む
ことを特徴とする請求項１に記載の撮像装置。
【請求項３】
前記制御部は、前記ＩＣタグ接続端子に接続されているＩＣタグに、前記無線ＬＡＮ通信モジュールで使用する無線ＬＡＮ設定データを書き込むとともに、当該無線ＬＡＮ設定データを書き込んだ後にのみ、当該読み出されたコマンドデータに誤りがある場合、前記撮像モジュールを利用不可な状態に設定する
ことを特徴とする請求項１に記載の撮像装置。
【請求項４】
無線ＬＡＮで無線通信を行う携帯端末側無線ＬＡＮ通信モジュールと、ＩＣタグに書き込まれている書込済データを読み出す近距離無線通信モジュールとを有する携帯端末と、撮像モジュールと、無線ＬＡＮで無線通信を行う撮像装置側無線ＬＡＮ通信モジュールと、ＩＣタグ接続端子と、を有する撮像装置とを含む通信システムであって、
前記携帯端末は、
前記近距離無線通信モジュールを用いて前記ＩＣタグに、前記撮像装置側無線ＬＡＮ通信モジュールのアクセスポイント機能を起動することを指示するコマンドデータを書き込む制御部
を有し、
前記撮像装置は、
前記ＩＣタグ接続端子に有線接続されているＩＣタグに、コマンドデータが新たに書き込まれたことを検出する検出部と、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する制御部と、
を有する
ことを特徴とする通信システム。
【請求項５】
撮像モジュールと、無線ＬＡＮで無線通信を行う無線ＬＡＮ通信モジュールと、ＩＣタグ接続端子と、を有する撮像装置の通信方法であって、
前記ＩＣタグ接続端子に有線接続されているＩＣタグに、コマンドデータが新たに書き込まれたことを検出する検出ステップと、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する設定ステップと、
を含むことを特徴とする撮像装置の通信方法。
【請求項６】
撮像モジュールと、無線ＬＡＮで無線通信を行う無線ＬＡＮ通信モジュールと、ＩＣタグ接続端子と、を有する撮像装置に、
前記ＩＣタグ接続端子に有線接続されているＩＣタグに、コマンドデータが新たに書き込まれたことを検出する検出ステップと、
前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する設定ステップと、
を実行させるためのプログラム。
【手続補正３】
【補正対象書類名】明細書
【補正対象項目名】０００１
【補正方法】変更
【補正の内容】
【０００１】
本発明は、撮像装置、通信システム、撮像装置の通信方法およびプログラムに関する。
【手続補正４】
【補正対象書類名】明細書
【補正対象項目名】０００６
【補正方法】変更
【補正の内容】
【０００６】
本発明は、上記の課題を解決するためになされたものであり、無駄に無線機能を起動させず、消費電力を低減させることができる撮像装置、通信システム、撮像装置の通信方法およびプログラムを提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明の一態様によれば、撮像モジュールと、無線ＬＡＮで無線通信を行う無線ＬＡＮ通信モジュールと、ＩＣタグ接続端子と、を有する撮像装置であって、前記ＩＣタグ接続端子に有線接続されているＩＣタグに、コマンドデータが新たに書き込まれたことを検出する検出部と、前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する制御部と、を有することを特徴とする撮像装置である。
【手続補正１０】
【補正対象書類名】明細書
【補正対象項目名】００１３
【補正方法】変更
【補正の内容】
【００１３】
また、本発明の他の態様の撮像装置において、前記制御部は、前記ＩＣタグ接続端子に接続されているＩＣタグに、前記無線ＬＡＮ通信モジュールで使用する無線ＬＡＮ設定データを書き込むとともに、当該無線ＬＡＮ設定データを書き込んだ後にのみ、当該読み出されたコマンドデータに誤りがある場合、前記撮像モジュールを利用不可な状態に設定することを特徴とする。
【手続補正１１】
【補正対象書類名】明細書
【補正対象項目名】００１４
【補正方法】変更
【補正の内容】
【００１４】
また、本発明の他の態様は、無線ＬＡＮで無線通信を行う携帯端末側無線ＬＡＮ通信モジュールと、ＩＣタグに書き込まれている書込済データを読み出す近距離無線通信モジュールとを有する携帯端末と、撮像モジュールと、無線ＬＡＮで無線通信を行う撮像装置側無線ＬＡＮ通信モジュールと、ＩＣタグ接続端子と、を有する撮像装置とを含む通信システムであって、前記携帯端末は、前記近距離無線通信モジュールを用いて前記ＩＣタグに、前記撮像装置側無線ＬＡＮ通信モジュールのアクセスポイント機能を起動することを指示するコマンドデータを書き込む制御部を有し、前記撮像装置は、前記ＩＣタグ接続端子に有線接続されているＩＣタグに、コマンドデータが新たに書き込まれたことを検出する検出部と、前記ＩＣタグにコマンドデータが新たに書き込まれたことが検出された場合、当該書き込まれたコマンドデータを読み出し、当該読み出されたコマンドデータに応じた処理を実行するとともに、当該読み出されたコマンドデータに誤りがある場合、前記撮像モジュールを利用不可な状態に設定する制御部と、を有することを特徴とする通信システムである。
【手続補正１２】
【補正対象書類名】明細書
【補正対象項目名】００１５
【補正方法】削除
【補正の内容】
【手続補正１３】
【補正対象書類名】明細書
【補正対象項目名】００１７
【補正方法】削除
【補正の内容】